(57)【要約】【課題】  物品に取り付けられたＲＦＩＤタグの物品情報が含まれる電磁波が、電磁遮蔽材による影響を受けることのなく読出装置に受信される商品陳列棚を提供すること。【解決手段】  両脚柱２に係合穴２ａを上下方向に列設し、読出装置９が設けられた支持板１５に係合穴２ａに係合する係合片１５ｃを設け、商品陳列棚１に設けられた電磁遮蔽材からなる棚板３の上面から所定間隔以上離間するように支持板１５を両脚柱２に取り付けることで、読出装置９からの電磁波が棚板３に影響されることなく、棚板３上に載置される物品のＲＦＩＤタグ１１に受信させ、ＲＦＩＤタグ１１からの電磁波を棚板３に影響されることなく読出装置９に受信させることができ、且つ棚板３の取付位置に応じて読出装置９が設けられた支持板１５を上下の高さ方向に調整することが可能であるので、常にＲＦＩＤタグ１１との電磁波の送受信を安定した状態で行える。【選択図】  図４
2005237654.tif 000002
【特許請求の範囲】
【請求項１】
左右に離間する脚柱の各々に、多数の係合穴を上下方向に列設し、該係合穴に、左右一対の前後方向を向くブラケットの後端に設けた係合片を各々係合し、該ブラケット上に、左右方向を向く電磁遮蔽材からなる棚板の両側を支持した商品陳列棚において、棚板上に載置される物品情報が記録されたＲＦＩＤタグが取り付けられた物品のＲＦＩＤタグの情報を読み出す読出装置を、左右両側に前記各係合穴と係合する係合片を有する支持板に取り付け、該支持板が前記上下の係合穴に対して高さ調整可能になっていることを特徴とする物品情報の読出装置を備える商品陳列棚。
【請求項２】
前記棚板を上下に離間させて複数枚設け、前記読出装置が取り付けられた支持板を各棚板間で前記係合穴を利用して上下方向に適宜移動可能に取り付けた請求項１に記載の物品情報の読出装置を備える商品陳列棚。
【請求項３】
前記脚柱間に非電磁遮蔽材からなる背面板が設けられ、前記脚柱の裏面にも前記係合穴が上下方向に複数形成され、該係合穴を利用して背面板の裏側で支持板を上下移動可能に取り付けた請求項１または２に記載の物品情報の読出装置を備える商品陳列棚。
【請求項４】
少なくとも前記読出装置の取り付けられる前記支持板の中央の取付部材を非電磁遮蔽材で構成し、該取付部材に前記読出装置を電磁遮蔽材で構成された前記両脚柱の内側面より所定間隔以上離間するように設けた請求項１乃至３のいずれかに記載の物品情報の読出装置を備える商品陳列棚。
【請求項５】
少なくとも前記読出装置の取り付けられる前記支持板の中央の取付部材を非電磁遮蔽材で構成し、該取付部材には前記読出装置を前記支持板の両端に形成した電磁遮蔽材で構成される引掛部材の内側面より所定間隔以上離間するように設けた請求項１乃至４のいずれかに記載の物品情報の読出装置を備える商品陳列棚。
【発明の詳細な説明】
【技術分野】
【０００１】
本発明は、物品情報が記録されたＲＦＩＤタグの情報を読み出すための読出装置を備える商品陳列棚に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００６】
そこで本発明は、このような問題点に着目してなされたもので、物品に取り付けられたＲＦＩＤタグの物品情報が含まれる電磁波が、電磁遮蔽材による影響を受けることのなく読出装置に受信される商品陳列棚を提供することを目的とする。
【課題を解決するための手段】
【０００７】
上記課題を解決するために、本発明の請求項１に記載の物品情報の読出装置を備える商品陳列棚は、左右に離間する脚柱の各々に、多数の係合穴を上下方向に列設し、該係合穴に、左右一対の前後方向を向くブラケットの後端に設けた係合片を各々係合し、該ブラケット上に、左右方向を向く電磁遮蔽材からなる棚板の両側を支持した商品陳列棚において、棚板上に載置される物品情報が記録されたＲＦＩＤタグが取り付けられた物品のＲＦＩＤタグの情報を読み出す読出装置を、左右両側に前記各係合穴と係合する係合片を有する支持板に取り付け、該支持板が前記上下の係合穴に対して高さ調整可能になっていることを特徴としている。
この特徴によれば、読出装置を支持板に支持させ、棚板の取付位置に応じて読出装置が設けられた支持板を上下の高さ方向に調整することにより、読出装置と電磁遮蔽材との間隔を常に所定の位置で安定的して離間させることができ、読出装置からの電磁波を電磁遮蔽材に影響されることなくＲＦＩＤタグに受信させ、ＲＦＩＤタグからの電磁波を電磁遮蔽材に影響されることなく読出装置に受信させることができる。
【０００８】
本発明の請求項２に記載の物品情報の読出装置を備える商品陳列棚は、請求項１に記載の物品情報の読出装置を備える商品陳列棚であって、前記棚板を上下に離間させて複数枚設け、前記読出装置が取り付けられた支持板を各棚板間で前記係合穴を利用して上下方向に適宜移動可能に取り付けたことを特徴としている。
この特徴によれば、各棚板は電磁遮蔽材で構成されているので、上下に設置された読出装置同士の電磁波が棚板によって遮断されて互いの電磁波が干渉することが防止されるとともに、各読出装置が取り付けられた支持板を、上下に位置する電磁遮蔽材である各棚板よりも所定間隔離間するように調整できるため、読出装置とＲＦＩＤタグの互いの電磁波の受信が電磁遮蔽材に影響されずに、物品のＲＦＩＤタグの情報を各棚板毎に読み出し可能となる。
【０００９】
本発明の請求項３に記載の物品情報の読出装置を備える商品陳列棚は、請求項１または２に記載の物品情報の読出装置を備える商品陳列棚であって、前記脚柱間に非電磁遮蔽材からなる背面板が設けられ、前記脚柱の裏面にも前記係合穴が上下方向に複数形成され、該係合穴を利用して背面板の裏側で支持板を上下移動可能に取り付けたことを特徴としている。
この特徴によれば、背面板の裏側に読出装置を設けることで、読出装置が陳列棚の前面に露出することなく見栄えが向上し、且つ背面板によって保護されることにより、外部からの衝撃による故障や劣化による補修等の問題が生じることを防止でき、長期にわたって使用することが可能となる。
【００１０】
本発明の請求項４に記載の物品情報の読出装置を備える商品陳列棚は、請求項１乃至３のいずれかに記載の物品情報の読出装置を備える商品陳列棚であって、少なくとも前記読出装置の取り付けられる前記支持板の中央の取付部材を非電磁遮蔽材で構成し、該取付部材に前記読出装置を電磁遮蔽材で構成された前記両脚柱の内側面より所定間隔以上離間するように設けたことを特徴としている。
この特徴によれば、読出装置が電磁遮蔽材である脚柱から所定間隔以上離間されて配置されているため、読出装置とＲＦＩＤタグの互いの電磁波の受信が電磁遮蔽材である脚柱に影響されることを防止できる。
【００１１】
本発明の請求項５に記載の物品情報の読出装置を備える商品陳列棚は、請求項１乃至４のいずれかに記載の物品情報の読出装置を備える商品陳列棚であって、少なくとも前記読出装置の取り付けられる前記支持板の中央の取付部材を非電磁遮蔽材で構成し、該取付部材には前記読出装置を前記支持板の両端に形成した電磁遮蔽材で構成される引掛部材の内側面より所定間隔以上離間するように設けたことを特徴としている。
この特徴によれば、読出装置が電磁遮蔽材である引掛部材から所定間隔以上離間されて配置されているため、読出装置とＲＦＩＤタグの互いの電磁波の受信が電磁遮蔽材である引掛部材に影響されることを防止できる。
【発明を実施するための最良の形態】
【００１２】
本発明の実施例を以下に説明する。
【実施例】
【００１３】
図1は、本発明の実施例における物品情報の読出装置を備える商品陳列棚の正面斜視図であり、図２は、図１のＡ−Ａ線を示す商品陳列棚の背面斜視図であり、図３は、読出装置の取り付け過程を示す要部拡大斜視図であり、図４は、図１のＢ−Ｂ線を示す一部破断縦断面図であり、図５は、図１のＣ−Ｃ線を示す平面断面図である。この商品陳列棚（以下、商品陳列棚１）は、スーパーやコンビニエンス・ストアー等の商品売り場に設置されており、商品陳列棚１に複数の商品を数多く載置して、消費者が直に商品（以下、物品１９）の取り出しを行えるようになっている。
【００１４】
本発明の実施例を図面に基づいて説明すると、商品陳列棚１は図1に示されるように、床面に電磁遮蔽材（本実施例では金属スチール材）から構成された棚板が設けられた載置台５が設けられ、載置台５の後方に床面から上下方向に延びる電磁遮蔽材から構成された脚柱２が左右に一対にて所定間隔離間されて設けられている。
【００１５】
両脚柱２の上端部には横架材８が挟持されるように設けられており、これら左右の脚柱２、載置台５、横架材８によって枠体が構成されている。この枠体の脚柱２間に非電磁遮蔽材（本実施例では硬質プラスチック材）から構成された背面板６が嵌合して取り付けられている。
【００１６】
脚柱２の前面側には係合穴２ａが上下方向に複数形成され、脚柱２の下方に後述するＬＡＮケーブル２１を外部に配線するための配線孔２ｂが形成される。背面板６の所定の高さ位置には、上下方向に電磁遮蔽材から構成された棚板３が複数段設けられている。この棚板３は、脚柱２の係合穴２ａに予め取り付けられたブラケット４の上端に載置され係止されている。以下、本実施例では商品陳列棚１の正面側を前方とし、商品陳列棚１の背面側を後方として説明する。また、左右の脚柱２、載置台５、横架材８によって構成される前述の枠体内側を裏面側とし、この枠体の外方側を正面側として説明する。
【００１７】
この棚板３の上面には、後述において説明するＲＦＩＤ（Ｒａｄｉｏ  Ｆｒｅｑｕｅｎｃｙ  ＩＤｅｎｔｉｆｉｃａｔｉｏｎ、無線による識別）タグが取り付けられた物品１９が複数載置されている。背面板６の背面側には各棚板３毎に対応するように、後述において詳述する読出装置であるＲＦＩＤアンテナ９が複数設けられている。載置台５の内部には、集線装置やチューナ等の機能を備えた中継装置１６と、ＲＦＩＤアンテナ９と中継装置１６に電力を給電するための電源アダプタ１７と、が設けられている。
【００１８】
各ＲＦＩＤアンテナ９には、各種信号の送受信を行う信号ケーブル（図示略）と、電力を供給する給電ケーブル（図示略）と、を含む通信ケーブル１８が各々接続されており、信号ケーブルは中継装置１６内の集線装置に接続され、給電ケーブルは電源アダプタ１７に接続され商品陳列棚１内に配設されている。
【００１９】
中継装置１６はＬＡＮケーブル２１を介して、ＬＡＮ網に接続され物品管理システムの管理や運用を行う管理コンピュータ２０に接続されている。中継装置１６内にはデータ変換機能を備えたチューナによって、管理コンピュータ２０とＲＦＩＤアンテナ９間で種々のデータの送受信が行えるようになっている。
【００２０】
つまり、物品１９のＲＦＩＤタグの物品情報のデータが管理コンピュータ２０に送信されることで、管理コンピュータ３で複数の棚板３毎に載置される物品１９の物品情報の管理が一元的に行えるようになっている。
【００２１】
なお、本実施例のＲＦＩＤアンテナ９と、物品情報が記録されたＲＦＩＤタグには、それぞれコイル型のアンテナ（図示略）を用いており、ＲＦＩＤアンテナ９とＲＦＩＤタグのコイル間に誘導されて発生する磁束を利用した電磁誘導方式により交信を行うようになってる。
【００２２】
そして、本実施例のＲＦＩＤアンテナ９の読み出し周波数は、電磁誘導方式の短波帯（１３．５６ＭＨｚ）の周波数を用いているが、本発明はこれら電磁誘導方式や周波数に限定されるものではなく、例えば、電磁誘導方式の長波帯（〜１３５ｋＨｚ）や、マイクロ波帯の電波を利用した電波方式のマイクロ波帯（２．４５ＧＨｚ）等を利用したものがあり、商品陳列棚や棚板に載置される商品の形状や特性、交信距離にあわせて、より理想的な環境下に適合した最適な方式と周波数のＲＦＩＤアンテナとＲＦＩＤタグを適宜利用するようにすれば良い。
【００２３】
図２に示されるように、脚柱２の背面には、前述した前面側の係合穴２ａと同様に脚柱２の裏面側に係合穴２ａが上下方向に複数形成されている。そして、両脚柱２の上下方向には各棚板３毎に対応する位置に、複数の支持板１５（本実施例では５枚）が取り付けられている。
【００２４】
この複数の支持板１５の裏面には、前述した複数のＲＦＩＤアンテナ９がそれぞれ設けられ、多段に配設されており、これら支持板１５は両脚柱２から着脱可能な構成になっている。そこで、支持板１５の構造と支持板１５の両脚柱２への取り付け過程について、以下に具体的に説明する。
【００２５】
図３に示されるように支持板１５は、中央部が非電磁遮蔽材で構成される取付部材１５ａと、両端部が電磁遮蔽材で構成される引掛部材１５ｂから構成されている。取付部材１５ａと引掛部材１５ｂはピン（図示略）で連結固定されており、引掛部材１５ｂの側端部には、前方に延設される下向き鈎状の係合片１５ｃが上下方向に複数（本地実施例では３箇所）形成されている。
【００２６】
取付部材１５ａの裏面にはＲＦＩＤアンテナ９が設けられ、このＲＦＩＤアンテナ９の取付位置は、引掛部材１５ｂと所定間隔（Ｌ０）位置で離間された状態で常に所定の位置に安定して固定されている。
【００２７】
ＲＦＩＤアンテナ９と電磁遮蔽材である引掛部材１５ｂとの間隔（Ｌ０）については、ＲＦＩＤアンテナからの電磁波を引掛部材１５ｂから影響されることなくＲＦＩＤタグに受信させ、ＲＦＩＤタグからの電磁波を引掛部材１５ｂから影響されることなくＲＦＩＤアンテナに受信させるために、少なくともＲＦＩＤアンテナと引掛部材１５ｂとの間隔を４０ｍｍ以上離間させることが好ましいことが実験的に検証されている。同じく物品に設けられるＲＦＩＤタグ１１の取り付け位置も引掛部材１５ｂから４０ｍｍ以上離間させることが好ましい。
【００２８】
本実施例においては図３に示されるように、商品陳列棚１に適用されたＲＦＩＤアンテナ９と引掛部材１５ｂとの間隔（Ｌ０）が５０ｍｍとなっており、読出装置であるＲＦＩＤアンテナ９とＲＦＩＤタグ１１の互いの電磁波の受信が電磁遮蔽材である引掛部材１５ｂに影響されずに、物品のＲＦＩＤタグ１１の情報を各棚板３毎に確実に読み出すことができるようになっている。
【００２９】
このように構成された支持板１５を脚柱２に取り付けるには、支持板１５を後方より前方に移動させながら、引掛部材１５ｂの係合片１５ｃを脚柱２の係合穴２ａに挿通させ、さらに矢印に示されるように押し下げることで、係合穴２ａに係合片１５ｃを係合させてしっかりと位置固定できる。支持板１５を取り外す場合には、上記した取り付け過程と逆の過程で取り外しが行えるようになっている。なお、他方の脚柱２への支持板１５の取り付け過程についても、支持板１５の構造が左右対称の略同一構造のため説明を省略する。
【００３０】
次いで、商品陳列棚１の構造を中心に具体的に説明する。図４に示されるように、ブラケット４の後端には下向き鈎状の係合片４ａが複数形成され、係合穴２ａに係合固定され脚柱２に取り付けられている。ブラケット４の上端には係止溝４ｂが複数形成され、それと対向するように棚板３の底面には係止片３ａが下向きに形成されており、ブラケット４に棚板３が載置されると係止溝４ｂに係止片３ａが係止され位置固定されるようになっている。同様にして、ブラケット４が多段に設けられ、これらブラケット４に棚板３が載置され位置固定されている。
【００３１】
脚柱２の背面には、ＲＦＩＤアンテナ９が設けられた支持板１５が上下に複数取り付けられており（本実施例では５枚）、各ＲＦＩＤアンテナ９に接続された各々の通信ケーブル１８は、一つに束ねられて下方に配線され、載置台５の棚板後方に形成したケーブル孔５ａを介して中継装置１６と電源アダプタ１７に接続され、さらに中継装置１６からＬＡＮケーブル２１に配線され、脚柱２に形成した配線孔２ｂを介して外部に配設されている。また、本実施例では説明しないが、脚柱２の後方から背面板６と略同一形状の背面カバーを取り付けることで、通信ケーブル１８の配線を外部から隠蔽するようにしても良い。
【００３２】
各棚板３間に設置される支持板１５の取り付け位置は、ＲＦＩＤアンテナ９が棚板３の上面から上方および棚板３の下面から下方にそれぞれ所定間隔（Ｌ１）以上離間した位置に来るように取り付けられており、棚板３に載置される物品１９のＲＦＩＤタグ１１の物品情報の読み出しを行えるようになっている。
【００３３】
ＲＦＩＤアンテナと電磁遮蔽材である棚板３との間隔（Ｌ１）については、ＲＦＩＤアンテナからの電磁波を棚板３から影響されることなくＲＦＩＤタグに受信させ、ＲＦＩＤタグからの電磁波を棚板３から影響されることなくＲＦＩＤアンテナに受信させるために、少なくともＲＦＩＤアンテナと棚板３との間隔を４０ｍｍ以上離間させることが好ましいことが実験的に検証されている。同じく物品に設けられるＲＦＩＤタグの取り付け位置も棚板３から４０ｍｍ以上離間させることが好ましい。そこで、本実施例においては図４に示されるように、商品陳列棚１に適用されたＲＦＩＤアンテナ９と棚板３との間隔（Ｌ１）が５０ｍｍとなっている。
【００３４】
このように、商品陳列棚１の両脚柱２に上下に離間して複数のＲＦＩＤアンテナ９を取り付けることで、読出装置であるＲＦＩＤアンテナ９とＲＦＩＤタグ１１の互いの電磁波の受信が棚板３に影響されずに、物品１９のＲＦＩＤタグ１１の情報を上下に設けられた各棚板３毎に読み出させることができる。また、各棚板３は電磁遮蔽材で構成されているので、上下に位置するのＲＦＩＤアンテナ９同士の電磁波が互いに干渉することなく、物品のＲＦＩＤタグ１１の情報を各棚板３毎に確実に読み出すことができる。
【００３５】
さらに、背面板６の裏面側の位置にＲＦＩＤアンテナ９が設けられることで、ＲＦＩＤアンテナ９が外部に露出することなく、背面板６がアンテナ保護被膜としてＲＦＩＤアンテナ９の保護機能を担うことで、例えば、物品１９の載置や取り出し等の外部からの衝撃による故障や劣化による補修等の問題が生じることを防止でき、長期にわたって使用することが可能となる。
【００３６】
図５に示されるように、棚板３には物品１９が複数載置されており、これら物品１９の前面側と背面側にはＲＦＩＤタグ１１がそれぞれ取り付けられている。なお、ＲＦＩＤタグ１１はＲＦＩＤアンテナ９と平行になるように設けられている。
【００３７】
ＲＦＩＤアンテナと電磁遮蔽材である両脚柱２との間隔（Ｌ２）については、ＲＦＩＤアンテナからの電磁波を両脚柱２から影響されることなくＲＦＩＤタグに受信させ、ＲＦＩＤタグからの電磁波を両脚柱２から影響されることなくＲＦＩＤアンテナに受信させるために、少なくともＲＦＩＤアンテナと両脚柱２との間隔を４０ｍｍ以上離間させることが好ましいことが実験的に検証されている。そこで、本実施例においては図５に示されるように、ＲＦＩＤアンテナ９と両脚柱２との間隔（Ｌ２）が５０ｍｍとなっている。
【００３８】
このように、両脚柱２が電磁遮蔽材から構成される場合であっても、ＲＦＩＤアンテナ９を脚柱２から所定間隔以上（Ｌ２）離間され配置されているため、読出装置であるＲＦＩＤアンテナ９とＲＦＩＤタグ１１の互いの電磁波の受信が両脚柱２に影響されることが防止される。
【００３９】
なお、支持板１５の両端に設けられる引掛部材１５ｂは、電磁遮蔽材で構成されることで、支持板１５の保持強度を高めていることから好ましいが、本発明はこれに限定されるものではなく、例えば支持板１５全体が非電磁遮蔽材である硬質プラスチック部材で構成されても良く、この場合のＲＦＩＤアンテナ９の取付位置は、支持板１５を両脚柱２に取り付けた際に、ＲＦＩＤアンテナ９の両端と両脚柱２の内側面との間隔を所定間隔以上（Ｌ２）離間しておくことが好ましく、このようにすれば、ＲＦＩＤアンテナ９の電磁波が両脚柱２に影響されることが防止される。
【００４０】
以上の説明により本実施例では、読出装置に相当するＲＦＩＤアンテナ９が電磁遮蔽材に相当する棚板３及び脚柱２、引掛部材１５ｂから所定間隔以上離間された状態であるため、ＲＦＩＤアンテナ９からの電磁波を棚板３及び脚柱２、引掛部材１５ｂに影響されることなくＲＦＩＤタグ１１に受信させ、ＲＦＩＤタグ１１からの電磁波を棚板３及び脚柱２、引掛部材１５ｂに影響されることなくＲＦＩＤアンテナ９に受信させることができる。
【００４１】
しかも、各棚板３の取付位置に応じて、または棚板３の移動時に、ＲＦＩＤアンテナ９が設けられた支持板１５を上下の高さ方向に調整することが可能であるので、常に棚板３に載置される物品のＲＦＩＤタグ１１との電磁波の送受信を安定した状態で行える。
【００４２】
なお、本実施例では脚柱２の背面に形成された係合穴２ａに係合片１５ｃを係合させて支持板１５を商品陳列棚１の背面側に取り付けているが、本発明はこれに限定されるものではなく、脚柱２の前面に形成された係合穴２ａに係合片１５ｃを係合させて、支持板１５を商品陳列棚１の前面側に取り付けるようにしても良い。
【００４３】
以上、本発明の実施例を図面により説明してきたが、具体的な構成はこれら実施例に限られるものではなく、本発明の要旨を逸脱しない範囲における変更や追加があっても本発明に含まれ、上記実施例では、背面板６の背面位置にＲＦＩＤアンテナ９を設けることで、ＲＦＩＤアンテナ９が前面外部に露出することなく、背面板６によって保護されることから好ましいが、本発明はこれに限定されるものではなく、例えば、ＲＦＩＤアンテナ９の表面にアンテナ保護被膜を設けることで、背面板６を設けなくともＲＦＩＤアンテナ９を前面側に露出させるように設置しても良く、商品陳列棚１の利用形態に合わせてＲＦＩＤアンテナ９の設置状態を決めるようにしても良い。
【００４４】
また、上記実施例では、ＲＦＩＤタグ１１が物品１９に貼付され取り付けられているが、本発明はこれに限定されるものではなく、例えば物品１９内にＲＦＩＤタグ１１を埋め込んで取り付けたり、物品１９内部にそのまま内挿した状態でも良く、物品の商品特性を生かした取り付け方法で適宜ＲＦＩＤタグを取り付ければ良い。
【００４５】
また、上記実施例では、管理コンピュータ２０を外部に設けた構成（図１参照）にすることで、他の複数の商品陳列棚（図示略）を一元的に管理可能にしているが、本発明はこれに限定されるものではなく、例えば、中継装置１６が収納される載置台５内に管理コンピュータ２０を内蔵するようにしても良く、商品陳列棚毎に物品の管理を行うようにしても良い。
【図面の簡単な説明】
【００４６】
【図１】本発明の実施例における物品情報の読出装置を備える商品陳列棚の正面斜視図である。
【図２】図１のＡ−Ａ線を示す商品陳列棚の背面斜視図である。
【図３】読出装置の取り付け過程を示す要部拡大斜視図である。
【図４】図１のＢ−Ｂ線を示す一部破断縦断面図である。
【図５】図１のＣ−Ｃ線を示す平面断面図である。
【符号の説明】
【００４７】
１                商品陳列棚
２                脚柱（電磁遮蔽材）
２ａ              係合穴
２ｂ              配線孔
３                棚板（電磁遮蔽材）
３ａ              係止片
４                ブラケット
４ａ              係合片
４ｂ              係止溝
５                載置台
５ａ              ケーブル孔
６                背面板
８                横架材
９                ＲＦＩＤアンテナ（読出装置）
１１              ＲＦＩＤタグ
１５              支持板
１５ａ            取付部材
１５ｂ            引掛部材
１５ｃ            係合片
１６              中継装置（集線装置、データ変換チューナを含む）
１７              電源アダプタ
１８              通信ケーブル（給電ケーブル、信号ケーブルを含む）
１９              物品
２０              管理コンピュータ
２１              ＬＡＮケーブル
【図１】
2005237654.tif 000003
【図２】
2005237654.tif 000004
【図３】
2005237654.tif 000005
【図４】
2005237654.tif 000006
【図５】
2005237654.tif 000007